(57)【要約】【課題】蓄積した情報をインデックス表示する際、利用者の利便性を向上させる表示を行う端末装置及び表示方法を提供する。【解決手段】端末装置１は、蓄積された複数の情報と複数の情報それぞれに対応したインデックスを表示する表示時間とを対応付けて保持する表示管理データ保持部１５と、複数のインデックスを表示する出力手段１９と、表示管理データ保持部に保持された表示時間に基づき、出力手段におけるインデックスの表示を終了する表示制御手段１４とを備える。【選択図】図１
2005284380.tif 000002
【特許請求の範囲】
【請求項１】
蓄積された複数の情報と該複数の情報それぞれに対応したインデックスを表示する表示時間とを対応付けて保持する表示管理データ保持部と、
複数の前記インデックスを表示する出力手段と、
前記表示管理データ保持部に保持された前記表示時間に基づき、前記出力手段における前記インデックスの表示を終了する表示制御手段と
を備えることを特徴とする端末装置。
【請求項２】
前記表示制御手段は、前記インデックスの表示を終了する時間が近づいた場合、前記出力手段における前記インデックスの表示態様を変更することを特徴とする請求項１に記載の端末装置。
【請求項３】
前記表示管理データ保持部は、前記情報と前記情報に対する重要度合いを示す情報重要度とを対応付けて保持し、
前記表示制御手段は、前記情報重要度に従って、前記情報に対応するインデックスの表示態様を変更することを特徴とする請求項１又は２に記載の端末装置。
【請求項４】
前記表示制御手段は、前記情報の特徴を表す複数の特徴パラメータ毎に設定された値に重み付けを行い、当該重み付けられた値を合計し、
前記表示管理データ保持部は、当該合計した値を前記情報重要度として保持することを特徴とする請求項３に記載の端末装置。
【請求項５】
前記表示制御手段は、前記情報に、予め定義されたキーワードが含まれるか否か判断し、当該判定結果に基づき、前記複数の特徴パラメータ毎に値を設定することを特徴とする請求項４に記載の端末装置。
【請求項６】
蓄積された複数の情報と該複数の情報それぞれに対応したインデックスを表示する表示時間とを対応付けて保持するステップと、
複数の前記インデックスを表示するステップと、
前記表示時間に基づき、前記出力手段における前記インデックスの表示を終了するステップと
を含むことを特徴とする表示方法。
【発明の詳細な説明】
【技術分野】
【０００１】
本発明は、蓄積した情報を表示する端末装置及び表示方法に関する。
【背景技術】
【０００２】
従来、特定の情報を特定の時間に表示するシステムが提案されている。
【０００３】
例えば、街頭や駅に設置されたディスプレイに、指定した時刻に伝言メッセージを表示する装置などが開示されている（例えば、特許文献１参照）。又、インターネットにおいて一般的なＷＷＷ（World Wide Web）では、情報提供システム側が情報の表示方法を決定することができる。
【０００４】
一方、ＰＣや携帯電話などの端末装置において、蓄積した複数の情報を表示するにあたり、情報のインデックスとしてアイコン化して表示したり、分かり易い文字列として表示したりする手法がとられている。
【特許文献１】特開２００２−２６８９８２号公報
【発明の開示】
【発明が解決しようとする課題】
【０００５】
上述したように、特許文献１やＷＷＷでは、情報提供システム側が情報の表示を制御することにより、情報の表示態様を管理する。
【０００６】
しかしながら、従来の端末装置における表示方法では、表示するアイコンあるいは文字列は固定的であり、その表示態様を変更したりすることはない。例えば、表示を消去するには、利用者が消去の操作を行う必要がある。このため、端末装置では、利用者にとって不必要な古いインデックスが表示され続けたり、利用者にとって重要度が高い情報も低い情報も同様のインデックス表示が行われ、情報の重要性を区別できなかったりする不具合が生じる。
【０００７】
そこで、本発明は、上記の課題に鑑み、蓄積した情報をインデックス表示する際、利用者の利便性を向上させる表示を行う端末装置及び表示方法を提供することを目的とする。
【課題を解決するための手段】
【０００８】
上記目的を達成するため、本発明の第１の特徴は、（イ）蓄積された複数の情報と複数の情報それぞれに対応したインデックスを表示する表示時間とを対応付けて保持する表示管理データ保持部と、（ロ）複数のインデックスを表示する出力手段と、（ハ）表示管理データ保持部に保持された表示時間に基づき、出力手段におけるインデックスの表示を終了する表示制御手段とを備える端末装置であることを要旨とする。
【０００９】
ここで、「インデックス」とは、複数の情報から一つの情報を選択する際に使用される、情報の内容を指し示す見出しをいう。例えば、ＰＣや携帯電話に表示されるアイコンなどがインデックスに該当する。尚、インデックスには、文字情報や画像情報、音楽情報などの情報を示すインデックスの他、ワープロソフトや表計算ソフトを起動するなど機能を示すインデックス（アイコン）も含まれる。又、「表示時間」とは、インデックス表示を行う表示時間が予め設定されている場合は、表示開始から設定表示時間が経過するまでの時間をいい、インデックス表示の絶対的な開始時刻及び終了時刻が設定されている場合は、開始時刻から終了時刻までの時間をいう。
【００１０】
第１の特徴に係る端末装置によると、設定された表示時間に基づきインデックス表示を終了することにより、蓄積した情報をインデックス表示する際、利用者の利便性を向上させる表示を行うことができる。
【００１１】
又、第１の特徴に係る端末装置における表示制御手段は、インデックスの表示を終了する時間が近づいた場合、出力手段におけるインデックスの表示態様を変更してもよい。この端末装置によると、利用者がインデックス表示を視認することにより、そのインデックスが示す情報の表示期間が終了することを容易に認識することができる。
【００１２】
又、第１の特徴に係る端末装置における表示管理データ保持部は、情報と情報に対する重要度合いを示す情報重要度とを対応付けて保持し、表示制御手段は、情報重要度に従って、情報に対応するインデックスの表示態様を変更してもよい。この端末装置によると、情報重要度の高い情報ほど、インデックス表示が効果的に表示されることになり、利用者の利便性を高めることができる。
【００１３】
又、表示制御手段は、情報の特徴を表す複数の特徴パラメータ毎に設定された値に重み付けを行い、当該重み付けられた値を合計し、表示管理データ保持部は、当該合計した値を情報重要度として保持してもよい。この端末装置によると、利用者の欲する度合いに従ってインデックス表示を行うことにより、利用者の利便性を更に高めることができる。
【００１４】
又、表示制御手段は、情報に予め定義されたキーワードが含まれるか否か判断し、当該判定結果に基づき、複数の特徴パラメータ毎に値を設定してもよい。この端末装置によると、情報提供システム側から各特徴パラメータの値を付加することなく、情報重要度を設定することができるため、情報提供システム側の情報処理量や特徴パラメータを伝送するデータ量の軽減を図ることができる。
【００１５】
本発明の第２の特徴は、（イ）蓄積された複数の情報と複数の情報それぞれに対応したインデックスを表示する表示時間とを対応付けて保持するステップと、（ロ）複数のインデックスを表示するステップと、（ハ）表示時間に基づき、出力手段におけるインデックスの表示を終了するステップとを含む表示方法であることを要旨とする。
【００１６】
第２の特徴に係る端末装置によると、設定された表示時間に基づきインデックス表示を終了することにより、蓄積した情報をインデックス表示する際、利用者の利便性を向上させる表示を行うことができる。
【発明の効果】
【００１７】
本発明によると、蓄積した情報をインデックス表示する際、利用者の利便性を向上させる表示を行う端末装置及び表示方法を提供することができる。
【発明を実施するための最良の形態】
【００１８】
次に、図面を参照して、本発明の第１〜第３の実施形態を説明する。以下の図面の記載において、同一または類似の部分には、同一または類似の符号を付している。ただし、図面は模式的なものであることに留意すべきである。
【００１９】
＜第１の実施形態＞
第１の実施形態に係る端末装置及び表示方法は、複数の情報のインデックス表示を開始してからの経過時間を管理し、経過時間が予め設定された設定表示時間に達した時点で、情報の表示を終了する。又、情報の重要度により、そのインデックスの表示態様を変更する。
【００２０】
（端末装置）
第１の実施形態に係る端末装置１は、図１に示すように、通信手段１１と、蓄積手段１２と、蓄積情報保持部１３と、表示制御手段１４と、表示管理データ保持部１５と、時間認識手段１６と、表示時間設定手段１７と、入力手段１８と、出力手段１９とを備える。第１の実施形態に係る端末装置１は、例えば、携帯電話やパーソナルコンピュータ（ＰＣ）の他、ＰＨＳ、ＰＤＡ、電子手帳、ノートパソコンなどである。
【００２１】
通信手段１１は、情報提供システムから通信ネットワーク（インターネット等）を介し、情報の受信を行う。通信手段１１は、入力手段１８が操作されることにより、情報の受信を行ってもよい。尚、情報提供システムとしては、インターネット上のニュースを表示するホームページ、ニュースを配信するプロバイダなどが想定される。
【００２２】
蓄積手段１２は、受信した情報を蓄積情報保持部１３に蓄積する。あるいは、蓄積手段１２は、端末装置１にて生成、収拾した情報を蓄積情報保持部１３に蓄積する。
【００２３】
表示管理データ保持部１５は、蓄積された複数の情報と複数の情報それぞれに対応したインデックスを表示する表示時間とを対応付けて保持する。表示管理データ保持部１５は、例えば、図３に示すような表示管理テーブルを保持する。ここでは、表示する情報を一意に識別する「表示番号」と、インデックスが表示する内容を示す「表示内容」と、インデックス表示を行う時間である「設定表示時間」と、インデックスを表示する「表示位置」と、インデックスが表示されてから現在までの「経過時間」と、情報に対する重要度合いを示す「情報重要度」とが対応付けられている。「表示番号」及び「表示位置」は、表示制御手段１４によって決定され、「表示内容」は、蓄積手段１２を介して蓄積情報保持部１３から得られる。「設定表示時間」は、表示時間設定手段１７によって設定され、「経過時間」は、時間認識手段１６及び表示制御手段１４によって算出される。「情報重要度」については、以下に詳述する。
【００２４】
又、表示管理データ保持部１５は、図４に示すように、情報毎に、情報の特徴を表す複数の特徴パラメータと、情報に対する重要度合いを示す情報重要度とを対応付けて保持する。特徴パラメータは、情報を分類するための要素であり、例えば、情報の分野（政治、経済、社会、産業、スポーツ、芸能、地域、家庭など）が挙げられる。
【００２５】
情報重要度は、特徴パラメータと図５に示す特徴パラメータ重要度によって決定される。例えば、図４の表示番号１について、情報重要度を求めると、それぞれの特徴パラメータは、現在時刻を１７：２０として、以下のように算出される。
【００２６】
特徴パラメータ（経済）０．５×経済の特徴パラメータ重要度３．０＝１．５
特徴パラメータ（産業）０．３×産業の特徴パラメータ重要度２．３＝０．７
特徴パラメータ（社会）０．１×社会の特徴パラメータ重要度１．０＝０．１
上記の各特徴パラメータを合計すると、１．５＋０．７＋０．１＝２．３となり、この値が図４に示す情報重要度となる。尚、情報重要度は、平日／週末や、朝／昼／夜といった時間帯毎に算出してもよい。
【００２７】
ここで、図５に示す特徴パラメータ重要度を得るために、以下に３つの方法を例示する。
【００２８】
（１）予め端末装置１に設定する。このとき、入力手段１８によって利用者が任意に設定してもよく、情報提供システムから特徴パラメータ重要度を付加された情報を受信し、付加された特徴パラメータ重要度を設定してもよい。
【００２９】
（２）情報の選択操作を集計することにより、算出する。例えば、図５に示す操作頻度を元に算出する。操作頻度は、利用者のインデックス表示選択毎に、図４における各インデックス表示の特徴パラメータを、時間帯毎に集計したものである。具体的に説明すると、表示番号１の情報の特徴パラメータの中で、「経済」は０．５であり、「産業」は０．３であり、「社会」は０．１である。この情報を１回選択すると、「経済」の特徴パラメータ重要度を０．５増やし、「産業」の特徴パラメータ重要度を０．３増やし、「社会」の特徴パラメータ重要度を０．１増やす。そして、これを正規化したものが、特徴パラメータ重要度となる。尚、図５では、特徴パラメータ重要度の時間帯毎の合計が、１０になるように正規化されている。又、集計の頻度は、１日、１週間などの期間の情報選択操作をまとめて行ってもよい。又、図５に示すように、時間帯、平日、週末によって特徴パラメータをそれぞれ分けて集計してもよい。
【００３０】
（３）端末装置における文書作成時に入力された単語に基づいて、算出する。入力された単語を予め設定された特徴パラメータ辞書に照らし合わせることにより、特徴パラメータ重要度を決定する。
【００３１】
表示制御手段１４は、蓄積情報保持部１３が蓄積した情報についての表示管理データを表示管理テーブルに書き込む。又、表示制御手段１４は、表示管理テーブルに書き込んだデータを参照して、図２に示すように、出力手段１９にインデックス表示を行う。更に、表示管理データ保持部１５に保持された表示時間に基づき、出力手段１９におけるインデックスの表示を終了する。具体的には、経過時間が、予め設定された設定表示時間に達した時点で、インデックス表示を終了する。又、表示制御手段１４は、端末装置の電源オン／オフ時刻を獲得することで、電源がオンであるときの時間のみを経過時間として更新してもよい。
【００３２】
又、表示制御手段１４は、インデックスの表示を終了する時間が近づいた場合、出力手段１９におけるインデックスの表示態様を変更する。詳細は後述するが、例えば、表示の終了に近づいたインデックス表示を、画面の下に表示したり、小さく表示したり、表示濃度を淡くしたり、移動速度を遅くしたりする。
【００３３】
又、表示制御手段１４は、インデックス表示を行う際、複数のインデックスを効果的に表示するため、情報毎に表示時間と非表示時間を設定し、表示時間の時のみ情報を表示する。表示時間と非表示時間の割合は情報毎に管理する。この割合の設定方法として以下に２つの方法を例示する。
【００３４】
（１）表示する情報が増えた場合は、各情報について非表示時間を長くする。
【００３５】
（２）上述した情報重要度に従って、情報に対応するインデックスの表示又は非表示を行う。即ち、情報重要度の高い情報は表示時間を長くし、情報重要度の低い情報は表示時間を短くする。情報重要度は、情報提供システムから受信してもよく、上述した手法により端末装置１内で算出してもよい。情報重要度に従ったインデックス表示としては、表示時間と非表示時間の割合だけでなく、情報重要度の高い情報ほど「表示時間を延ばす」、「大きく表示する」、「画面の上部に表示する」、「明るく表示する」など、インデックスの表示態様を変更してもよい。
【００３６】
又、表示制御手段１４は、上述した手法により、情報の特徴を表す複数のパラメータ毎に設定された値に重み付けを行い、当該重み付けられた値を合計し、この合計した値を情報重要度として表示管理データ保持部１５に保存する。
【００３７】
又、表示制御手段１４は、情報に、予め定義されたキーワードが含まれるか否か判断し、当該判定結果に基づき、複数の特徴パラメータ毎に値を設定する。更に、表示制御手段１４は、情報に存在する文字列により、特徴パラメータを自動的に生成する。例えば、選択した情報の先頭から１００文字の中から、既存の文字列解析エンジンにより単語を抽出し、抽出した単語により、特徴パラメータを算出する。
【００３８】
時間認識手段１６は、現在の時刻を取得する。
【００３９】
表示時間設定手段１７は、各インデックスを表示する時間を設定する。具体的な表示時間の設定方法は、以下のとおりである。
【００４０】
（１）情報提供システムから、表示する情報と共に表示時間情報を受信した場合は、表示時間設定手段１７は、受信した表示時間を設定表示時間として設定する。
【００４１】
（２）利用者の好みに従って、入力手段１８によって、表示時間が入力された場合は、表示時間設定手段１７は、入力された表示時間を設定表示時間として設定する。
【００４２】
（３）情報重要度を基に、設定表示時間を決定する場合は、表示時間設定手段１７は、情報重要度から算出された結果を設定表示時間として設定する。例えば、図３に示すように、表示番号１の情報重要度を「２」、表示番号２の情報重要度を「６」、表示番号３の情報重要度を「１８」とする。情報重要度１単位あたり、例えば４時間を設定表示時間とすると、表示番号１〜３それぞれの設定表示時間は、「８時間」、「１日」、「３日」となる。
【００４３】
（４）特に指示がない場合は、表示時間設定手段１７は、すべてのインデックスに対して一律に、特定の時間、例えば「２時間」を設定表示時間として設定する。
【００４４】
表示時間設定手段１７によって設定された時間は、設定表示時間として、図３に示す表示管理テーブルに保持される。表示制御手段１４は、時間認識手段１６から得られた時刻と、表示時間設定手段１７によって設定された時間を比較することにより、図３及び図４に示す経過時間を算出し、表示管理テーブルへ書き込む。
【００４５】
入力手段１８は、キーボード、マウス等の機器を指す。入力手段１８から入力操作が行われると対応するキー情報や座標情報等の入力情報が通信手段１１、表示制御手段１４、表示時間設定手段１７に伝達される。
【００４６】
出力手段１９は、複数のインデックスを表示する。出力手段１９としては、モニタなどの画面を指し、液晶表示装置（ＬＣＤ）、発光ダイオード（ＬＥＤ）パネル、エレクトロルミネッセンス（ＥＬ）パネル等が使用可能である。例えば、第１の実施形態では、出力手段１９として、６型程度のフラットディスプレイを用いる。
【００４７】
又、第１の実施形態に係る端末装置１は、処理制御装置（ＣＰＵ）を有し、蓄積手段１２、表示制御手段１４、時間認識手段１６、表示時間設定手段１７などをモジュールとしてＣＰＵに内蔵する構成とすることができる。これらのモジュールは、パーソナルコンピュータ等の汎用コンピュータにおいて、所定のプログラム言語を利用するための専用プログラムを実行することにより実現することができる。
【００４８】
又、蓄積情報保持部１３、表示管理データ保持部１５は、上述した情報やデータなどを保存する記録媒体である。記録媒体は、例えば、ＲＡＭ、ＲＯＭ、ハードディスク、フレキシブルディスク、コンパクトディスク、ＩＣチップ、カセットテープなどが挙げられる。このような記録媒体によれば、表示管理テーブルなどの保存、運搬、販売などを容易に行うことができる。
【００４９】
又、図示していないが、端末装置１は、表示制御処理、表示時間設定処理などを処理制御装置（ＣＰＵ）に実行させるための表示プログラムを保存するプログラム保持部を備えてもよい。プログラム保持部は、例えば、ＲＡＭ、ＲＯＭ、ハードディスク、フレキシブルディスク、コンパクトディスク、ＩＣチップ、カセットテープなどの記録媒体である。このような記録媒体によれば、表示プログラムの保存、運搬、販売などを容易に行うことができる。
【００５０】
（表示方法）
次に、第１の実施形態に係る端末装置を用いた表示方法について、図１及び図６〜１０を用いて説明する。
【００５１】
（イ）まず、図６のステップＳ１０１において、端末装置１の通信手段１１は、インターネットなどを介して、情報を受信する。
【００５２】
（ロ）次に、ステップＳ１０２において、蓄積手段１２は、受信した情報を蓄積情報保持部１３へ蓄積する。
【００５３】
（ハ）次に、ステップＳ１０３において、表示制御手段１４は、蓄積した情報に対応する表示管理データを表示管理データ保持部１５に保存する。尚、図３に示す「経過時間」については、表示制御手段１４が定期的に更新するものとする。
【００５４】
（ニ）次に、ステップＳ１０４において、表示制御手段１４は、出力手段１９に複数の情報のインデックスを表示する。このとき、表示制御手段１４は、情報重要度に従って、情報毎に表示時間と非表示時間を設定し、表示時間の時のみ情報を表示する。又、表示制御手段１４は、情報重要度の高い情報ほど「表示時間を延ばす」、「大きく表示する」、「画面の上部に表示する」、「明るく表示する」など、インデックスの表示態様を変更する。
【００５５】
（ホ）次に、ステップＳ１０５において、表示制御手段１４は、設定表示時間に対し、経過時間が占める割合によって、一定時間が経過したか、例えば、設定表示時間経過間近であるか否か判断する。一定時間が経過した場合は、ステップＳ１０６へ進み、一定時間が経過していない場合は、ステップＳ１０４へ戻り、インデックスの表示を続行する。
【００５６】
（へ）次に、ステップＳ１０６において、表示制御手段１４は、インデックスの表示態様を変更する。具体的には、図７に示すように、設定表示時間終了にどの程度近づいているかを表示位置により表してもよい。インデックス表示開始時は、Ｙ軸上の最上部に表示し、時間の経過と共に徐々に表示位置を下げ、設定表示時間経過時には、最下部に表示させるようにする。図７では、「東証終値大幅高」が最上部にあり、「新しい表示デバイスを開発」が最下部にある。この表示位置の計算方法の一例として、表示可能範囲をｘ軸方向：０−６３９、ｙ軸方向：０−４７９とすると、図３の表示番号１の場合、設定表示時間が「８時間」、経過時間が「２時間１２分（２．２時間）」であるので、ｙ軸方向の位置は、
ｙ＝４７９×２．２／８＝１３２
となる。
【００５７】
尚、図３及び図４では、「表示位置」を管理しているが、これは図７に示す表示態様を想定している。ただし、図７の表示態様は表示時間から演算により求められるので、「表示位置」は、必ずしも表示管理テーブルにおいて管理する必要はない。
【００５８】
又、図８に示すように、設定表示時間終了にどの程度近づいているかを表示濃度により表してもよい。図８では、便宜的に、枠の太さで色の濃淡を表現する。インデックス表示開始時は濃く、時間の経過と共に徐々に薄くなり、設定表示時間経過時に最も薄くなる。図８では、「東証終値大幅高」が最も濃く、「新しい表示デバイスを開発」が最も薄い。
【００５９】
又、図９に示すように、設定表示時間終了にどの程度近づいているかを表示の大きさにより表してもよい。インデックス表示開始時は大きく、時間の経過と共に徐々に小さくなり、設定表示時間経過時に最も小さくなる。図９では、「東証終値大幅高」が最も大きく、「新しい表示デバイスを開発」が最も小さい。この表示の大きさの計算方法の一例として、最初の表示の大きさを横（ｘ軸方向）２００×縦（ｙ軸方向）１００とすると、図３の表示番号１の場合、設定表示時間が「８時間」、経過時間が「２時間１２分（２．２時間）」であるので、
横（ｘ軸方向）：２００×２．２／８＝５５
縦（ｙ軸方向）：１００×２．２／８-＝２８
となる。
【００６０】
又、図１０に示すように、設定表示時間終了にどの程度近づいているかをインデックス表示の移動速度により表してもよい。インデックス表示を画面上で移動させる表現としては、左右に移動させる、上下に移動させる、画面奥から手前に遠近法に従って拡大しながら移動させる、画面手前から奥に縮小しながら移動させるといった手法がある。図１０では、画面左に向かって移動させる手法を示しており、便宜的に、点線の矢印の長さが、移動速度の速さを示している。インデックス表示開始時は移動速度が速く、時間の経過と共に徐々に遅くなり、設定表示時間経過時に最も遅くなる。図１０では、「東証終値大幅高」が最も速く、「新しい表示デバイスを開発」が最も遅い。
【００６１】
（ト）次に、ステップＳ１０７において、表示制御手段１４は、設定表示時間が経過したか否か判断する。設定表示時間が経過した場合は、ステップＳ１０８へ進み、設定表示時間が経過していない場合は、ステップＳ１０４へ戻り、インデックスの表示を続行する。
【００６２】
（チ）そして、ステップＳ１０８において、表示制御手段１４は、インデックス表示を終了する。
【００６３】
（作用及び効果）
第１の実施形態に係る端末装置及び表示方法は、設定された表示時間に基づきインデックス表示を終了することにより、蓄積した情報をインデックス表示する際、利用者の利便性を向上させる表示を行うことができる。又、表示時間を設定することにより、古くなったインデックスがいつまでも表示されることがなく、新しいインデックスのみが画面に表示される。
【００６４】
又、端末装置１の電源オフの期間を設定表示時間から除外すれば、利用者が情報にアクセス可能な時間のみを設定表示時間として管理することができる。
【００６５】
更に、設定表示時間は、端末装置１内で設定できるので、表示する情報の数や利用者の表示スタイルに対する好みに従って、表示情報を適宜設定でき、利用者に対するユーザビリティの向上を図ることができる。
【００６６】
又、第１の実施形態では、表示制御手段１４は、インデックスの表示を終了する時間が近づいた場合、出力手段１９におけるインデックスの表示態様を変更する。このため、利用者がインデックス表示を視認することにより、そのインデックスが示す情報の表示期間が終了することを容易に認識することができる。
【００６７】
既存の手法では、情報提供システム（プロバイダなど）が設定表示時間を設定するが、端末装置１内で設定することにより、複数の情報提供システムから受信した情報、あるいは、端末装置１内で生成、収拾した情報を共通の表示管理データで管理することができる。このため、表示態様の変化を情報の出所に関わらず、利用者の好みに合致した表示を行うことができる。
【００６８】
又、第１の実施形態では、表示管理データ保持部１５は、情報と情報に対する重要度合いを示す情報重要度とを対応付けて保持し、表示制御手段１４は、情報重要度に従って、情報に対応するインデックスの表示態様を変更する。このため、情報重要度の高い情報ほど、インデックス表示が効果的に表示されることになり、利用者の利便性を高めることができる。
【００６９】
又、表示制御手段１４は、情報の特徴を表す複数の特徴パラメータ毎に設定された値に重み付けを行い、当該重み付けられた値を合計し、表示管理データ保持部１５は、当該合計した値を情報重要度として保持する。このため、利用者の欲する度合いに従ってインデックス表示を行うことにより、利用者の利便性を更に高めることができる。例えば、経済に係る情報を多く欲する利用者は、経済に関する特徴パラメータを（１）利用者自身が情報重要度を高めに設定する、（２）情報選択操作により、端末装置１が情報重要度を高めに設定する、（３）作成文書の単語により、端末装置１が情報重要度を高めに設定することで、経済に関する情報を効果的に表示することができる。又、時間帯や曜日毎に特徴パラメータ重要度を管理することで、朝は経済の情報を、夜は芸能の情報をといった、細かな制御を行うことができる。
【００７０】
従来の手法では、情報提供システム（プロバイダなど）が利用者の嗜好を管理し、嗜好に合わせた情報を配信することが行われていた。しかし、従来の手法では、利用者の嗜好がプロバイダ側に伝わることとなり、プライバシー上の問題がある。第１の実施形態に係る端末装置１及び表示方法によると、利用者の嗜好は端末装置１内で管理されるので、嗜好がプロバイダ側に伝わるという問題がない。
【００７１】
又、表示制御手段１４は、情報に予め定義されたキーワードが含まれるか否か判断し、当該判定結果に基づき、複数の特徴パラメータ毎に値を設定してもよい。このため、情報提供システム側から各特徴パラメータの値を付加することなく、情報重要度を設定することができるため、情報提供システム側の情報処理量や特徴パラメータを伝送するデータ量の軽減を図ることができる。
【００７２】
＜第２の実施形態＞
第２の実施形態に係る端末装置及び表示方法は、複数の情報のインデックス表示の開始時刻及び終了時刻を絶対的な時刻により管理し、有効期間を過ぎた時点で、情報の表示を終了する。又、情報の重要度により、そのインデックスの表示態様を変更する。
【００７３】
（端末装置）
第２の実施形態に係る端末装置は、第１の実施形態に係る端末装置と同様に、図１に示すように、通信手段１１と、蓄積手段１２と、蓄積情報保持部１３と、表示制御手段１４と、表示管理データ保持部１５と、時間認識手段１６と、表示時間設定手段１７と、入力手段１８と、出力手段１９とを備える。
【００７４】
表示管理データ保持部１５は、蓄積された複数の情報と複数の情報それぞれに対応したインデックスを表示する表示時間とを対応付けて保持する。表示管理データ保持部１５は、例えば、図１１に示すような表示管理テーブルを保持する。ここでは、表示する情報を一意に識別する「表示番号」と、インデックスが表示する内容を示す「表示内容」と、インデックス表示を開始する時間である「開始時刻」と、インデックス表示を終了する時間である「終了時刻」と、インデックスを表示する「表示位置」とが対応付けられている。「表示番号」は、表示制御手段１４によって決定され、「表示内容」は、蓄積手段１２を介して蓄積情報保持部１３から得られる。「開始時刻」及び「終了時刻」は、表示時間設定手段１７によって設定される。
【００７５】
表示時間設定手段１７は、各インデックスを表示する時間を設定する。具体的な表示時間の設定方法は、以下のとおりである。
【００７６】
（１）情報提供システムから、表示する情報と共に「開始時刻」、「終了時刻」を受信した場合は、表示時間設定手段１７は、受信した「開始時刻」、「終了時刻」を有効期間として設定する。但し、情報提供システムにより、不必要に長い有効期間が設定された場合は、表示時間設定手段１７によって適切な時刻に設定しなおしてもよい。
【００７７】
（２）利用者の好みに従って、入力手段１８によって、「開始時刻」、「終了時刻」が入力された場合は、表示時間設定手段１７は、入力された「開始時刻」、「終了時刻」を有効期間として設定する。
【００７８】
（３）図１１の斜線で示した情報のように、「開始時刻」が設定されない場合は、表示時間設定手段１７は、情報の受信した時刻、あるいは蓄積した時刻を「開始時刻」として設定する。
【００７９】
（４）図１１の斜線で示した情報のように、「終了時刻」が設定されない場合は、表示時間設定手段１７は、情報重要度を基に、「終了時刻」を決定する。例えば、表示番号２の情報重要度を「１．８」、表示番号３の情報重要度を「２．３」とする。情報重要度１単位あたり、例えば４時間を有効期間とすると、表示番号２の有効期間は、「７．２時間」、表示番号３の有効期間は、「９．２時間」となる。
【００８０】
図１１において、例えば、表示番号１の情報は、配信元がテレビ会社で、夕方のニュース時刻（ここでは、終了時刻１８：００）まで表示するケースを想定している。又、表示番号２の情報は、ナイター開始時刻（ここでは、終了時刻１７：００）まで表示するケースを想定している。尚、図１１は、現在時刻として１７：２０を想定しているので、表示番号２の情報は、表示を終了している。
【００８１】
表示制御手段１４は、蓄積情報保持部１３が蓄積した情報についての表示管理データを表示管理テーブルに書き込む。又、表示制御手段１４は、表示管理テーブルに書き込んだデータを参照して、図２に示すように、出力手段１９にインデックス表示を行う。更に、表示管理データ保持部１５に保持された表示時間に基づき、出力手段１９におけるインデックスの表示を終了する。具体的には、現在時刻が設定された有効期間を過ぎた時点で、インデックス表示を終了する。
【００８２】
又、表示制御手段１４は、インデックスの表示を終了する時間が近づいた場合、出力手段１９におけるインデックスの表示態様を変更する。詳細は第１の実施形態と同様であるが、例えば、表示の終了に近づいたインデックス表示を、画面の下に表示したり、小さく表示したり、表示濃度を淡くしたり、移動速度を遅くしたりする。
【００８３】
又、表示制御手段１４は、インデックス表示を行う際、複数のインデックスを効果的に表示するため、情報毎に表示時間と非表示時間を設定し、表示時間の時のみ情報を表示する。表示時間と非表示時間の割合は情報毎に管理する。この割合の設定方法は、第１の実施形態と同様であるので、ここでは説明を省略する。又、第１の実施形態と同様に、情報重要度の高い情報ほど「表示時間を延ばす」、「大きく表示する」、「画面の上部に表示する」、「明るく表示する」など、インデックスの表示態様を変更してもよい。
【００８４】
又、表示制御手段１４は、情報の特徴を表す複数のパラメータ毎に設定された値に重み付けを行い、当該重み付けられた値を合計し、この合計した値を情報重要度として表示管理データ保持部１５に保存する。
【００８５】
又、表示制御手段１４は、情報に、予め定義されたキーワードが含まれるか否か判断し、当該判定結果に基づき、複数の特徴パラメータ毎に値を設定する。更に、表示制御手段１４は、情報に存在する文字列により、特徴パラメータを自動的に生成する。例えば、選択した情報の先頭から１００文字の中から、既存の文字列解析エンジンにより単語を抽出し、抽出した単語により、特徴パラメータを算出する。
【００８６】
表示時間設定手段１７は、入力手段１８によって、各インデックスを表示する「開始時刻」又は「終了時刻」を設定する。設定された時刻は、有効期間として、図１１に示す表示管理テーブルに保持される。
【００８７】
通信手段１１と、蓄積手段１２と、蓄積情報保持部１３と、時間認識手段１６と、入力手段１８と、出力手段１９については、第１の実施の形態と同様であるので、ここでは説明を省略する。
【００８８】
又、第２の実施形態に係る端末装置１は、処理制御装置（ＣＰＵ）を有し、蓄積手段１２、表示制御手段１４、時間認識手段１６、表示時間設定手段１７などをモジュールとしてＣＰＵに内蔵する構成とすることができる。これらのモジュールは、パーソナルコンピュータ等の汎用コンピュータにおいて、所定のプログラム言語を利用するための専用プログラムを実行することにより実現することができる。
【００８９】
又、図示していないが、端末装置１は、表示制御処理、表示時間設定処理などを処理制御装置（ＣＰＵ）に実行させるための表示プログラムを保存するプログラム保持部を備えてもよい。プログラム保持部は、例えば、ＲＡＭ、ＲＯＭ、ハードディスク、フレキシブルディスク、コンパクトディスク、ＩＣチップ、カセットテープなどの記録媒体である。このような記録媒体によれば、表示プログラムの保存、運搬、販売などを容易に行うことができる。
【００９０】
（表示方法）
次に、第２の実施形態に係る端末装置を用いた表示方法について、図１及び図１２を用いて説明する。
【００９１】
（イ）図１２のステップＳ２０１〜Ｓ２０２については、図６のステップＳ１０１〜Ｓ１０２と同様であるので、ここでは説明を省略する。
【００９２】
（ロ）次に、ステップＳ２０３において、表示制御手段１４は、蓄積した情報に対応する表示管理データを表示管理データ保持部１５に保存する。そして、ステップＳ２０４において、表示制御手段１４は、時間認識手段１６によって得られた現在時刻と設定された有効期間とを比較し、現在時刻が有効期間内である場合、出力手段１９に複数の情報のインデックスを表示する。このとき、表示制御手段１４は、情報重要度に従って、情報毎に表示時間と非表示時間を設定し、表示時間の時のみ情報を表示する。又、表示制御手段１４は、情報重要度の高い情報ほど「表示時間を延ばす」、「大きく表示する」、「画面の上部に表示する」、「明るく表示する」など、インデックスの表示態様を変更する。
【００９３】
（ハ）次に、ステップＳ２０５において、表示制御手段１４は、有効期間において、現在時刻（経過時間）が占める割合、あるいは、現在時刻から有効期間の終了時刻までの差によって、一定時間が経過したか、例えば、有効期間経過間近であるか否か判断する。一定時間が経過した場合は、ステップＳ２０６へ進み、一定時間が経過していない場合は、ステップＳ２０４へ戻り、インデックスの表示を続行する。ステップＳ２０６の処理は、図１のステップＳ１０６（図７〜図１０）と同様であるので、ここでは説明を省略する。
【００９４】
（ニ）次に、ステップＳ２０７において、表示制御手段１４は、有効期間が経過したか否か判断する。有効期間が経過した場合は、ステップＳ２０８へ進み、有効期間が経過していない場合は、ステップＳ２０４へ戻り、インデックスの表示を続行する。
【００９５】
（ホ）そして、ステップＳ２０８において、表示制御手段１４は、インデックス表示を終了する。
【００９６】
（作用及び効果）
第２の実施形態に係る端末装置及び表示方法は、設定された表示時間に基づきインデックス表示を終了することにより、蓄積した情報をインデックス表示する際、利用者の利便性を向上させる表示を行うことができる。
【００９７】
又、第２の実施形態においては、有効期間を設定することで、有効期間外の情報を不必要なインデックスと判断し、表示を終了することができる。終了時刻が定義された有効期間であれば、すでに古くなった情報の表示を終了することができ、開始時刻が定義された有効期間であれば、未だ必要ではない情報を表示することがなく、必要な時期に表示することができる。
【００９８】
＜第３の実施形態＞
第３の実施形態に係る端末装置及び表示方法は、インデックスが示す情報が音声を含むストリーム情報である場合、音声について音声認識を行い、結果を文字として表示する。文字として表示されたインデックスの表示態様の制御は、第１の実施形態と同様である。
【００９９】
（端末装置）
第３の実施形態に係る端末装置は、図１３に示すように、通信手段１１と、蓄積手段１２と、蓄積情報保持部１３と、表示制御手段１４と、表示管理データ保持部１５と、時間認識手段１６と、表示時間設定手段１７と、入力手段１８と、出力手段１９と、音声認識手段２０とを備える。
【０１００】
音声認識手段２０は、情報が音声を含むストリーム情報である場合、その音声情報について音声認識を行い、結果を文字に変換する。
【０１０１】
表示制御手段１４は、音声認識手段２０によって変換された文字情報をインデックス表示し、第１及び第２の実施形態で説明したように、インデックスの表示態様を制御する。
【０１０２】
通信手段１１と、蓄積手段１２と、蓄積情報保持部１３と、表示管理データ保持部１５と、時間認識手段１６と、表示時間設定手段１７と、入力手段１８と、出力手段１９については、第１の実施形態と同様であるので、ここでは説明を省略する。
【０１０３】
又、第３の実施形態に係る端末装置１は、処理制御装置（ＣＰＵ）を有し、蓄積手段１２、表示制御手段１４、時間認識手段１６、表示時間設定手段１７、音声認識手段２９などをモジュールとしてＣＰＵに内蔵する構成とすることができる。これらのモジュールは、パーソナルコンピュータ等の汎用コンピュータにおいて、所定のプログラム言語を利用するための専用プログラムを実行することにより実現することができる。
【０１０４】
又、図示していないが、端末装置１は、表示制御処理、表示時間設定処理、音声認識処理などを処理制御装置（ＣＰＵ）に実行させるための表示プログラムを保存するプログラム保持部を備えてもよい。プログラム保持部は、例えば、ＲＡＭ、ＲＯＭ、ハードディスク、フレキシブルディスク、コンパクトディスク、ＩＣチップ、カセットテープなどの記録媒体である。このような記録媒体によれば、表示プログラムの保存、運搬、販売などを容易に行うことができる。
【０１０５】
（表示方法）
次に、第３の実施形態に係る端末装置を用いた表示方法について、図１３及び図１４を用いて説明する。
【０１０６】
（イ）まず、図１４のステップＳ３０１において、端末装置１の通信手段１１は、インターネットなどを介して、音声情報を受信する。
【０１０７】
（ロ）次に、ステップＳ３０２において、蓄積手段１２は、受信した音声情報を蓄積情報保持部１３へ蓄積する。
【０１０８】
（ハ）次に、ステップＳ３０３において、表示制御手段１４は、蓄積した音声情報に対応する表示管理データを表示管理データ保持部１５に保存する。
【０１０９】
（ニ）次に、ステップＳ３０４において、音声認識手段２０は、情報が音声を含むストリーム情報である場合、その音声情報について音声認識を行い、結果を文字に変換する。
【０１１０】
（ホ）次に、ステップＳ３０５において、表示制御手段１４は、出力手段１９に、音声認識手段２０によって変換された文字情報をインデックス表示する。
【０１１１】
（へ）次に、ステップＳ３０６〜Ｓ３０９については、図６のステップＳ１０５〜Ｓ１０８と同様であるので、ここでは説明を省略する。
【０１１２】
尚、上記の説明において、表示管理データを保存した（Ｓ３０３）後、音声情報の認識を行う（Ｓ３０４）と説明したが、音声情報の認識を行った（Ｓ３０４）後、表示管理データを保存（Ｓ３０３）しても構わない。
【０１１３】
（作用及び効果）
第３の実施形態に係る端末装置及び表示方法は、設定された表示時間に基づきインデックス表示を終了することにより、蓄積した音声情報をインデックス表示する際、利用者の利便性を向上させる表示を行うことができる。
【０１１４】
又、第３の実施形態においては、音声情報を認識することができるので、音声情報を画像情報として提示することができる。このため、音を出せない利用環境、例えば、他者がいるオフィスや電車の中においても、音声情報を取得することができる。又、複数の音声情報を同時に提示することができる。
【０１１５】
＜その他の実施形態＞
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【０１１６】
例えば、図７〜図１０において、インデックスの表示態様の変更例を示したが、これらの変更を組み合わせて表示してもよい。例えば、経過時間によって、図７に示すように、インデックスの表示位置を変更すると共に、図１０に示すように、インデックスの移動速度を変更してもよい。
【０１１７】
又、図１及び図１３において、蓄積情報保持部１３と表示管理データ保持部１５とを分けて備えると説明したが、これらを一つの保持部で共用しても構わない。
【０１１８】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【０１１９】
【図１】第１及び第２の実施形態に係る端末装置の構成ブロック図である。
【図２】第１の実施形態に係る端末装置の表示例である。
【図３】第１の実施形態に係る表示管理テーブルの一例である（その１）。
【図４】第１の実施形態に係る表示管理テーブルの一例である（その２）。
【図５】第１の実施形態に係る特徴パラメータ管理テーブルの一例である。
【図６】第１の実施形態に係る表示方法のフローチャートである。
【図７】第１の実施形態に係る端末装置のインデックス表示の変更例である（その１）。
【図８】第１の実施形態に係る端末装置のインデックス表示の変更例である（その２）。
【図９】第１の実施形態に係る端末装置のインデックス表示の変更例である（その３）。
【図１０】第１の実施形態に係る端末装置のインデックス表示の変更例である（その４）。
【図１１】第２の実施形態に係る表示管理テーブルの一例である。
【図１２】第２の実施形態に係る表示方法のフローチャートである。
【図１３】第３の実施形態に係る端末装置の構成ブロック図である。
【図１４】第３の実施形態に係る表示方法のフローチャートである。
【符号の説明】
【０１２０】
１…端末装置
１１…通信手段
１２…蓄積手段
１３…蓄積情報保持部
１４…表示制御手段
１５…表示管理データ保持部
１６…時間認識手段
１７…表示時間設定手段
１８…入力手段
１９…出力手段
２０…音声認識手段
【図１】
2005284380.tif 000003
【図２】
2005284380.tif 000004
【図３】
2005284380.tif 000005
【図４】
2005284380.tif 000006
【図５】
2005284380.tif 000007
【図６】
2005284380.tif 000008
【図７】
2005284380.tif 000009
【図８】
2005284380.tif 000010
【図９】
2005284380.tif 000011
【図１０】
2005284380.tif 000012
【図１１】
2005284380.tif 000013
【図１２】
2005284380.tif 000014
【図１３】
2005284380.tif 000015
【図１４】
2005284380.tif 000016